(57)【要約】【課題】前のサブフィールドでの発光維持動作数の影響による書き込み期間での書き込みミスを防止し、良好な画像表示を行うことができるプラズマディスプレイ装置を提供することを目的とする。【解決手段】プラズマディスプレイ表示装置において、書き込み期間の前に印加するプライミングパルスの電圧値を、プライミングパルスの印加以前のサブフィールドでの点灯状態によって可変するように構成する。このことにより、プライミングパルスの印加以前のサブフィールドでの発光維持動作数に応じてプライミングパルスの電圧値を適当な値にすることができるため、書き込み期間での書き込みミスを防止し、良好な画像表示を行うことができるプラズマディスプレイ装置を提供することが可能となる。【選択図】　図１
2004029185.tif 000002
【特許請求の範囲】
【請求項１】
画像を表示するパネル部と、パネル部を駆動するための駆動電圧を出力する駆動部とを備えるプラズマディスプレイ装置であって、駆動部は、１フィールドを複数のサブフィールドに分割し、且つ、１つ以上のサブフィールドにおいてプライミングパルスを印加するものであり、プライミングパルスの電圧値は、そのプライミングパルスを印加する以前のサブフィールドの点灯状態に応じて設定したプラズマディスプレイ装置。
【請求項２】
プライミングパルスの電圧値の設定を行うプライミングパルス電圧値判別手段を有する請求項１に記載のプラズマディスプレイ装置。
【請求項３】
サブフィールドが書き込み期間を有し、書き込み期間での書き込み動作の有無により前記点灯状態を判別する書き込み動作判別手段を有する請求項１に記載のプラズマディスプレイ装置。
【請求項４】
書き込み動作判別手段が、パネル部の所定の領域に対してサブフィールドの点灯状態を判別するものである請求項３に記載のプラズマディスプレイ装置。
【請求項５】
パネル部が、表示電極を複数形成した前面板と、データ電極を表示電極に対して直交するように複数形成した背面板とを対向配置することにより表示電極とデータ電極との交差部に放電セルを形成したものであり、前記所定の領域が、表示電極を共通として連続して配置された複数の放電セルである請求項４に記載のプラズマディスプレイ表示装置。
【請求項６】
プライミングパルスの電圧値が、表示電極毎に異なるものである請求項１に記載のプラズマディスプレイ表示装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
プラズマディスプレイ装置では、ガス放電により紫外線を発生させ、この紫外線で蛍光体を励起して発光させることによりカラー表示を行っている。
【０００３】
プラズマディスプレイ装置には、大別して、駆動的にはＡＣ型とＤＣ型とがあり、放電形式では面放電型と対向放電型とがあるが、高精細化、大画面化および構造の簡素性に伴う製造の簡便性から、現状では、３電極構造の面放電型のプラズマディスプレイ装置が主流である。
【０００４】
このプラズマディスプレイ装置のパネル部の一般的な構造を図５に示す。図５はプラズマディスプレイ装置のパネル部の概略構成を示す断面斜視図である。前面板１は、例えばガラスのような透明且つ絶縁性の基板２上に誘電体層３およびＭｇＯ蒸着膜による保護膜４で覆われた複数の表示電極５が付設された構造となっている。表示電極５は、走査電極６と維持電極７とが対となったものであり、走査電極６は透明電極６ａとその上に形成されたバス電極６ｂとからなり、維持電極７は透明電極７ａとその上に形成されたバス電極７ｂとからなるものである。
【０００５】
また、背面板８は、例えばガラスのような絶縁性の基板９上に絶縁体層１０で覆われた複数のデータ電極１１が付設され、絶縁体層１０上のデータ電極１１間にはデータ電極１１と平行してストライプ状の隔壁１２が設けられており、絶縁体層１０の表面と隔壁１２の側面にかけて蛍光体層１３が設けられた構造となっている。
【０００６】
そして、前面板１と背面板８とは、走査電極６および維持電極７とデータ電極１１とが直交するように放電空間１４を挟んで対向して配置されている。そして放電空間１４には、放電ガスとして、ヘリウム、ネオン、アルゴン、キセノンのうち、少なくとも１種類の希ガスが封入されており、隔壁１２によって仕切られデータ電極１１と走査電極６および維持電極７との交差部の放電空間１４が放電セル１５として動作する。
【０００７】
図６に、プラズマディスプレイ装置の概略構成図を示す。パネル部１００は走査電極６を例えばＮ本備え、それぞれには走査ドライバ１６が接続されている。また維持電極７もＮ本備え、それぞれには維持ドライバ１７が接続されている。そしてデータ電極１１はｍ本備え、それぞれにはデータドライバ１８が接続されている。データドライバ１８には、映像データの１フィールドがサブフィールド変換手段１９によって複数のサブフィールドに変換されたものが出力される。
【０００８】
図７に、プラズマディスプレイ装置の駆動に関して、１フィールドの駆動時間割構成を示す。１フィールドは複数のサブフィールド、例えば８つのサブフィールドで構成されており、これらのサブフィールドはそれぞれ初期化期間、書き込み期間、発光維持期間及び消去期間で構成されている。
【０００９】
図８に、従来のプラズマディスプレイ装置の駆動波形のうち、初期化期間及び書き込み期間に対する駆動波形を示し、プライミングパルスの印加を含む初期化期間での初期化動作及び書き込み期間での書き込み動作について説明する。
【００１０】
図８に示すように、初期化期間の前半において、全てのデータ電極１１、及び全ての維持電極７を０（Ｖ）に保持し、全ての走査電極６には、全ての維持電極７に対して放電開始電圧以下となる電圧Ｖｐ（Ｖ）から放電開始電圧を超える電圧Ｖｒ（Ｖ）に向かって緩やかに上昇するランプ電圧を印加する。このランプ電圧が上昇する間に、全ての放電セル１５において全ての走査電極６と、全てのデータ電極１１及び全ての維持電極７との間にそれぞれ１回目の微弱な初期化放電が起こり、走査電極６上の保護膜４の表面に負の壁電荷が蓄積されるとともに、データ電極１１上の蛍光体層１３の表面及び維持電極７上の保護膜４の表面には正の壁電荷が蓄積される。その後、全ての走査電極６は全ての維持電極７に対し放電開始電圧以下となるＶｑ（Ｖ）に保持される。一方、全ての維持電極７及び全てのデータ電極１１は０（Ｖ）に保持されたままである。
【００１１】
更に、初期化期間の後半において、全ての維持電極７を正電圧Ｖｈ（Ｖ）に保持し、全ての走査電極６には、電圧Ｖｑ（Ｖ）から全ての維持電極７に対して放電開始電圧を超える電圧Ｖｂ（Ｖ）に向かって緩やかに下降するランプ電圧を印加する。このランプ電圧が下降する間に、再び全ての放電セル１５において、全ての維持電極７と全ての走査電極６との間にそれぞれ２回目の微弱な初期化放電が起こり、走査電極６上の保護膜４の表面にある負の壁電荷及び維持電極７上の保護膜４の表面にある正の壁電荷が弱められる。一方、データ電極１１上の蛍光体層１３の表面の正の壁電荷はそのまま保持される。以上により初期化期間の動作が終了する。
【００１２】
次に、書き込み期間での書き込み動作について以下に説明する。全ての走査電極６をＶｇ（Ｖ）に保持し、全てのデータ電極１１のうち、１行目に表示すべき放電セル１５に対応する所定のデータ電極１１には正の書き込みパルス電圧Ｖｄ（Ｖ）を、１行目の走査電極６には走査パルス電圧Ｖｇ（Ｖ）をそれぞれ印加する。このとき、所定のデータ電極１１と１行目の走査電極６との交差部において、データ電極１１と走査電極６との間、及び維持電極７と走査電極６との間にそれぞれ書き込み放電が起こり、この交差部の走査電極６上の保護膜４の表面に正の壁電圧が、維持電極７上の保護膜４の表面に負の壁電圧が、データ電極１１上の蛍光体層１３の表面に負の壁電圧がそれぞれ蓄積される。
【００１３】
２行目以降も同様な動作が引き続いて行われ、最後に全てのデータ電極１１のうち、Ｎ行目に表示すべき放電セル１５に対応する所定のデータ電極１１に正の書き込みパルス電圧Ｖｄ（Ｖ）を、Ｎ行目の走査電極６に走査パルス電圧Ｖｇ（Ｖ）をそれぞれ印加する。このときも１行目の場合と同様に、この交差部において所定のデータ電極１１と走査電極６との間、及び維持電極７と走査電極６との間にそれぞれ書き込み放電が起こり、この交差部の走査電極６上の保護膜４の表面に正の壁電圧が、維持電極７上の保護膜４の表面に負の壁電圧が、データ電極１１上の蛍光体層１３の表面に負の壁電圧がそれぞれ蓄積される。以上により書き込み期間における書き込み動作が終了する。
【００１４】
ここで、初期化期間の後半において、走査電極６に印加する、電圧Ｖｂ（Ｖ）に向かって緩やかに下降するランプ電圧に関して、電圧Ｖｂ（Ｖ）が例えば全ての維持電極７に対して放電開始電圧をぎりぎり超える小さい値である場合、走査電極６上の保護膜４の表面にある負の壁電荷はほとんど弱められることなく、後続の書き込み期間に移行する。この場合、走査電極６とデータ電極１１との電圧差は大きくなり、放電開始電圧により近い状態になる。また逆に、電圧Ｖｂ（Ｖ）が、例えば全ての維持電極７に対して放電開始電圧を大きく超える値である場合、走査電極６上の保護膜４の表面にある負の壁電荷のほとんどが弱められた状態で後続の書き込み期間に移行する。この場合、走査電極６とデータ電極１１との電圧差は放電開始電圧に対しより小さくなる。このように電圧Ｖｂ（Ｖ）に向かって緩やかに下降するランプ電圧の電圧値によって後続の書き込み期間における書き込み動作に有効に作用する壁電荷の大きさが変わる。従って、この電圧Ｖｂ（Ｖ）に向かって緩やかに下降するランプ電圧は、書き込み動作に対するプライミングパルスとなる。
【００１５】
ここで、プライミングパルスの印加に関しては、全てのフィールドにおいて全てのサブフィールドに印加する場合の他に、１フィールドにおいて表示画像の画像情報に基づいてプライミングパルスを印加するサブフィールド数を制御する方法が知られている。具体的な例を以下に説明する。例えば、表示階調が１フィールド当たり８つのサブフィールドで構成されている場合、入力信号は各色各セル毎に８つのサブフィールドＳＦ１〜ＳＦ８に対応してＬＳＢ（最下位ビット）からＭＳＢ（最上位ビット）まで８つのビットを含んで構成される。ここで、どのサブフィールドで発光させるかというサブフィールド情報が、例えば、全色全セルについて第５から第８のサブフィールドに対応するビットのうち一つでも発光することを示している場合には、その表示画像は明るいと判断され、例えば１フィールドにおいてＳＦ１、ＳＦ３及びＳＦ５で合計３回プライミングパルスが印加される。これに対し、例えば、全色全セルについて第５から第８までのサブフィールドＳＦ５〜ＳＦ８に対応するビットが全て発光しないことを示している場合には、その表示画像は暗いと判断され、例えば、１フィールドにおいてＳＦ１でのみプライミングパルスが印加される。このように、画面の明るさに応じて１フィールドにおけるプライミングパルスを印加するサブフィールド数を変化させることで、暗い画面ではプライミング動作による発光を抑え、画面全体の輝度を下げることができ、暗い場面でのプライミング動作による画質劣化を防止することができるというものである。
【００１６】
【発明が解決しようとする課題】
しかし、サブフィールドでの発光維持期間において発光維持動作が行われた回数によって、後続のサブフィールドの書き込み期間での放電セル１５の放電ガスの活性状態は異なる。そのため、例えば初期化期間の後半においてプライミングパルスを印加するという場合でも、直前のサブフィールドにおける発光維持動作の回数が非常に少なく、放電セル１５の放電ガスが十分活性化されていない場合、後続のサブフィールドにおける書き込み期間では書き込み動作が正常に行うことができない場合がある。この場合、所定の放電セル１５においては正常な発光維持動作を行うことができないため、所定の放電セル１５は正常な輝度を得ることができず、画質が劣化するという問題があった。また、直前のサブフィールドにおける発光維持動作の回数が非常に多く、放電セル１５の放電ガスが十分に活性化され、更に初期化期間の後半においてプライミングパルスを印加するという場合には、後続のサブフィールドにおける書き込み期間での放電セル１５は、放電開始電圧ぎりぎりの状態である上に走査電極６上の保護膜４の表面にある負の壁電荷が多く残った状態となる。ここで放電セル１５が、図９に示す、ｍ列目且つＮ行目の場合、放電セル１５を構成する走査電極６上の保護膜４の表面に蓄積された負の壁電荷は、直前に書き込み動作を行った一つ上のｍ列目、且つ（Ｎ−１）行目の放電セル１５での書き込み放電の影響を受けやすく、部分的にまたは全体的に弱められ、次に実際に書き込み放電を行う際に、正常な書き込み動作を行うことができない場合があった。この場合、所定の放電セル１５においては正常な発光維持動作を行うことができないため、所定の放電セル１５は正常な輝度を得ることができず、画質が劣化していた。
【００１７】
本発明は以上のような状況に鑑みてなされたものであり、前のサブフィールドでの発光維持動作数の影響によって発生する書き込み期間での書き込みミスを防止し、良好な画像表示を行うことができるプラズマディスプレイ装置を提供することを目的とする。
【００１８】
【課題を解決するための手段】
上記目的を実現するために、本発明のプラズマディスプレイ装置は、画像を表示するパネル部と、パネル部を駆動するための駆動電圧を出力する駆動部とを備えるプラズマディスプレイ装置であって、駆動部は、１フィールドを複数のサブフィールドに分割し、且つ、１つ以上のサブフィールドにおいてプライミングパルスを印加するものであり、プライミングパルスの電圧値は、そのプライミングパルスを印加する以前のサブフィールドの点灯状態に応じて設定したものである。
【００１９】
以上により、前のサブフィールドでの発光維持動作数の影響による書き込み期間での書き込みミスを防止し、良好な画像表示を行うことができるプラズマディスプレイ装置を提供することが可能となる。
【００２０】
【発明の実施の形態】
すなわち、本発明の、請求項１に記載の発明は、画像を表示するパネル部と、パネル部を駆動するための駆動電圧を出力する駆動部とを備えるプラズマディスプレイ装置であって、駆動部は、１フィールドを複数のサブフィールドに分割し、且つ、１つ以上のサブフィールドにおいてプライミングパルスを印加するものであり、プライミングパルスの電圧値は、そのプライミングパルスを印加する以前のサブフィールドの点灯状態に応じて設定したものである。
【００２１】
また、請求項２に記載の発明は、請求項１の発明において、プライミングパルスの電圧値の設定を行うプライミングパルス電圧値判別手段を有するものである。
【００２２】
また、請求項３に記載の発明は、請求項１の発明において、サブフィールドが書き込み期間を有し、書き込み期間での書き込み動作の有無により前記点灯状態を判別する書き込み動作判別手段を有するものである。
【００２３】
また、請求項４に記載の発明は、請求項３の発明において、書き込み動作判別手段が、パネル部の所定の領域に対してサブフィールドの点灯状態を判別するものである。
【００２４】
また、請求項５に記載の発明は、請求項４の発明において、パネル部が、表示電極を複数形成した前面板と、データ電極を表示電極に対して直交するように複数形成した背面板とを対向配置することにより表示電極とデータ電極との交差部に放電セルを形成したものであり、前記所定の領域が、表示電極を共通として連続して配置された複数の放電セルである。
【００２５】
また、請求項６に記載の発明は、請求項１の発明において、プライミングパルスの電圧値が、表示電極毎に異なるものである。
【００２６】
以下、本発明の一実施の形態について図面を参照しつつ説明する。但し、本発明の実施の形態はこれに制限されるものではない。
【００２７】
（実施の形態１）
本実施の形態のプラズマディスプレイ装置のパネル部の構造は、図５に示したものと同様であるため、詳細な説明は省略し、以下では、本実施の形態での特徴的な点である、駆動部についての説明を詳細に行う。
【００２８】
図１は、本発明の実施の形態１によるプラズマディスプレイ装置の概略構成を示すブロック図である。図６に示したブロック図と同じ構成要素には同じ番号を付している。本実施の形態のプラズマディスプレイ装置は、パネル部１００と、駆動部である、走査ドライバ１６、維持ドライバ１７、データドライバ１８、サブフィールド変換手段１９、書き込み動作判別手段２０、プライミングパルス電圧値判別手段２１及びフィールドメモリ２２を有する。パネル部１００の走査電極６には走査ドライバ１６が、維持電極７には維持ドライバ１７が、そしてデータ電極１１にはデータドライバ１８が接続されている。また、サブフィールド変換手段１９は、映像データの入力側からパネル部１００に接続されている。また、書き込み動作判別手段２０は、サブフィールド変換手段１９に接続されている。また、プライミングパルス電圧値判別手段２１は、書き込み動作判別手段２０及び走査ドライバ１６、維持ドライバ１７、データドライバ１８に接続されている。また、フィールドメモリ２２は、書き込み動作判別手段２０に接続されている。走査ドライバ１６は、パネル部１００内部の全放電セル１５において安定した初期化放電、書き込み放電、維持放電及び消去放電を行うことができるように、各サブフィールドの維持期間を含む初期化期間、書き込み期間及び消去期間において、それぞれ初期化動作用、維持動作用、書き込み動作用及び消去動作用パルスを発生する。また、維持ドライバ１７は、パネル部１００内部の全放電セル１５において安定した初期化放電、書き込み放電、維持放電及び消去放電を行うことができるように、各サブフィールドの維持期間を含む初期化期間、書き込み期間及び消去期間において、それぞれ初期化動作用、維持動作用、書き込み動作用及び消去動作用パルスを発生する。また、サブフィールド変換手段１９は、階調に応じて書き込みを行うサブフィールドを決定し、データドライバ１８及び書き込み動作判別手段２０に出力する。次に、データドライバ１８は、パネル部１００内部の全放電セル１５において書き込み放電を行うことができるように、各サブフィールドの書き込み期間にサブフィールド変換手段１９を介して入力される映像信号に応じて、オンまたはオフする書き込み電圧パルスを発生する。これにより、所定の放電セル１５において初期化動作、発光維持動作、書き込み動作及び消去初期化動作が行われ、パネル部１００に映像が映し出される。また書き込み動作判別手段２０はサブフィールド変換手段１９から１フィールド中の各サブフィールドでの書き込み動作の有無及び各サブフィールドで発光維持動作する回数に関する情報を得て、またフィールドメモリ２２に蓄えられている以前のフィールドにおける各サブフィールドでの書き込み動作の有無及び各サブフィールドで発光維持動作する回数に関する情報と共に、プライミングパルス電圧値判別手段２１に出力する。またプライミングパルス電圧値判別手段２１は、書き込み動作判別手段２０からのサブフィールド書き込み情報及び発光維持動作回数の情報を得て、その情報を基にプライミングパルスの電圧値を決定し、走査ドライバ１６、維持ドライバ１７、及びデータドライバ１８に出力する。
【００２９】
次に、実施の形態１によるプラズマディスプレイ装置の駆動部が出力する駆動電圧波形のうち、プライミングパルス印加期間を含む初期化期間、及び書き込み期間の駆動電圧波形を図２に示す。図２（ａ）に示すように、１フィールドを構成する複数のサブフィールドの最初にある初期化期間において、全てのデータ電極１１及び全ての維持電極７を０（Ｖ）に保持し、全ての走査電極６には、全ての維持電極７に対して放電開始電圧以下となる電圧Ｖｐ（Ｖ）から放電開始電圧を超える電圧Ｖｒ（Ｖ）に向かって緩やかに上昇するランプ電圧を印加する。このランプ電圧が上昇する間に、全ての放電セル１５において全ての走査電極６と、全てのデータ電極１１及び全ての維持電極７との間にそれぞれ１回目の微弱な初期化放電が起こり、走査電極６上の保護膜４の表面に負の壁電荷が蓄積されるとともに、データ電極１１上の蛍光体層１３の表面及び維持電極７上の保護膜４の表面には正の壁電荷が蓄積される。その後、全ての走査電極６は、全ての維持電極７に対し放電開始電圧以下となるＶｑ（Ｖ）に保持される。この際、全ての維持電極７及び全てのデータ電極１１は０（Ｖ）である。
【００３０】
更に、初期化期間の後半での動作において、全ての維持電極７を正電圧Ｖｈ（Ｖ）に保持し、全ての走査電極６には、電圧Ｖｑ（Ｖ）から全ての維持電極７に対して放電開始電圧を超える電圧Ｖｂ（Ｖ）に向かって緩やかに下降するランプ電圧を印加する。このランプ電圧が下降する間に、再び全ての放電セル１５において、全ての維持電極７と全ての走査電極６との間にそれぞれ２回目の微弱な初期化放電が起こり、走査電極６上の保護膜４の表面にある負の壁電荷、及び維持電極７上の保護膜４の表面にある正の壁電荷が弱められる。ここで、電圧Ｖｂ（Ｖ）が、例えば全ての維持電極７に対して放電開始電圧をぎりぎり超える小さい値である場合、走査電極６上の保護膜４の表面にある負の壁電荷が弱められる量は非常に少なく、したがって、負の壁電荷はほとんど弱められることなく後続の書き込み期間に移行する。この場合、走査電極６とデータ電極１１との電圧差は大きくなり、放電開始電圧に近い状態になる。また逆に、図２（ｂ）に示すように、電圧Ｖｂ（Ｖ）が全ての維持電極７に対して放電開始電圧を大きく超える値である電圧Ｖｃ（Ｖ）の場合、走査電極６上の保護膜４の表面にある負の壁電荷が弱められる量は非常に多く、したがって、負の壁電荷はほとんどが弱められた状態で、後続の書き込み期間に移行する。この場合、走査電極６とデータ電極１１との電圧差は放電開始電圧に対しより小さくなる。このように、電圧Ｖｂ（Ｖ）に向かって緩やかに下降するランプ電圧の電圧値によって後続の書き込み期間における書き込み動作に有効に作用する壁電荷の大きさが変わる。従って、この電圧Ｖｂ（Ｖ）に向かって緩やかに下降するランプ電圧は書き込み動作に対するプライミングパルスとなる。一方、データ電極１１上の蛍光体層１３の表面の正の壁電荷はそのまま保持される。
【００３１】
ここで、以下の説明において、プライミングパルスの電圧値とは上記の電圧Ｖｂ（Ｖ）を指すものである。また、走査電極６（印加電圧Ｖｂ（Ｖ））と維持電極７（印加電圧Ｖｈ（Ｖ））との電位差が小さくなるようにプライミングパルス電圧Ｖｂ（Ｖ）を変化させることを、「正の方向に大きくする」とし、逆に、電位差が大きくなるようにプライミングパルス電圧Ｖｂ（Ｖ）を変化させることを、「負の方向に大きくする」と表現するものとする。
【００３２】
図３に、プラズマディスプレイパネルの一部の領域と、所定の１フィールド中に表現する階調の例を示す。また、図４には１フィールドを８つのサブフィールドで構成した場合の表現階調と点灯サブフィールドとの関係を示す。
【００３３】
例えば、Ｎ行目を構成する複数の放電セル１５において、所定の１フィールドで表現する階調が図３に示すような場合、（ｍ−４）列目の放電セル１５で表現する階調は３であるため、実際に書き込み動作が行われるサブフィールドは、図４より、ＳＦ１及びＳＦ２である。また、（ｍ−３）列目の放電セル１５で表現する階調は６であるため、実際に書き込み動作が行われるサブフィールドは、図４より、ＳＦ２及びＳＦ３である。同様にして（ｍ＋５）列目においては、実際に書き込み動作が行われるサブフィールドはＳＦ１のみである。この場合、Ｎ行目においてフィールドの最初にあるＳＦ１にて実際に書き込み動作を行う放電セル１５は、階調が１、３、５の４個であり、同様に、ＳＦ２にて実際に書き込み動作を行う放電セル１５は、階調が２、３、６の４個、ＳＦ３にて実際に書き込み動作を行う放電セル１５は、階調が４、５、６の３個、そして、それ以降のサブフィールドであるＳＦ４〜ＳＦ８においては書き込み動作は行われない。ここでＳＦ１では、１０個の放電セル１５のうち４個の放電セル１５で書き込み動作が行われるが、ＳＦ１での発光維持動作数は１であるため、ＳＦ２の書き込み期間における放電セル１５の放電ガスの状態は、十分に活性化されたものではない。したがって、後続の書き込み動作を確実に行うため、ＳＦ２の初期化期間におけるプライミングパルスの電圧値は正の方向へ大きくする。これによって、走査電極６上の保護膜４の表面に負の壁電荷を多く蓄積させておくことができることになるため、書き込み動作を正常に行うことができ、書き込みミスによる画質劣化を防止することができる。
【００３４】
また、ＳＦ３においては、１０個の放電セル１５のうち３個の放電セル１５で書き込み動作が行われるが、ＳＦ３での発光維持動作数は４であるため、ＳＦ４の書き込み期間における放電セル１５の放電ガスの状態は、前のＳＦ２の状態に比べて活性化されたものとなっている。ここで、ＳＦ４において印加するプライミングパルスの電圧値をＳＦ２におけるプライミングパルスの電圧値と同じにしてしまうと、前述のようにＳＦ４の書き込み期間における放電セル１５の放電ガスの状態はＳＦ２の状態に比べて活性化されたものであることから、ＳＦ４の書き込み期間での放電セル１５は、放電開始電圧ぎりぎりの状態である上に、走査電極６上の保護膜４の表面に負の壁電荷が多く残った状態となる。ここで、上述の放電セル１５が図９に示すｍ列目且つＮ行目の放電セル１５であるとした場合、放電セル１５を構成する走査電極６上の保護膜４の表面に蓄積された負の壁電荷は、直前に書き込み動作を行った一つ上のｍ列目且つ（Ｎ−１）行目の放電セル１５での書き込み放電の影響を受けやすく、部分的または全体的に弱められてしまい、次に実際に書き込み放電を行う際に正常な書き込み動作を行うことができない場合が発生してしまう。したがって、後続の書き込み動作を確実に行うためには、ＳＦ４において印加するプライミングパルスの電圧値は、ＳＦ２におけるプライミングパルスの電圧値に比べて負の方向へ大きくする。このことにより、走査電極６上の保護膜４の表面に負の壁電荷を適当な量だけ蓄積させておくことができることになるため、書き込み動作を正常に行うことができ、書き込みミスによる画質劣化を防止することができる。
【００３５】
また、同様に、図３の（Ｎ＋２）行目においては、例えばＳＦ６において、１０個の放電セル１５のうち、８個の放電セル１５において書き込み動作が行われる。この場合、ＳＦ６では３２回の発光維持動作が行われるため、先に説明したＳＦ１やＳＦ３の場合に比べてもＳＦ７における放電ガスはより活性化されている。したがって、後続の書き込み動作をより確実に行うためには、ＳＦ４の初期化期間におけるプライミングパルスの電圧値に比べて負の方向へ大きくする。また、ＳＦ６のプライミングパルスの電圧値は、全ての放電セル１５においてＳＦ１〜ＳＦ５にて発光維持動作が行われていないため、放電ガスは十分活性化されていない。したがってＳＦ６のプライミングパルスの電圧値はＮ行目のＳＦ２におけるプライミングパルスの電圧値と比べて正の方向へ大きくする。
【００３６】
また、（Ｎ＋２）行目においては全ての放電セル１５においてＳＦ８で発光維持動作を行っており、後続のフィールドにおいても放電セル１５の放電ガスは十分に活性化されている。したがって、（Ｎ＋２）行目においては少なくとも直後のサブフィールドにおいては、直前のフィールドでの発光維持動作が少ない場合に比べてプライミングパルスの電圧値を負の方向へ大きくする。これにより走査電極６上の保護膜４の表面に負の壁電荷を適当な量だけ蓄積させておくことができるため、書き込み動作を正常に行うことができ、書き込みミスによる画質劣化を防止することができる。
【００３７】
またＮ行目を構成する放電セル１５に対して、ＳＦ５では直前のサブフィールドＳＦ４において発光維持動作は行われていないが、ＳＦ３において発光維持動作が行われているため、放電セル１５の放電ガスは複数のサブフィールドに渡って連続して発光維持動作がされていなかった場合に比べて活性化されているため、プライミングパルスの電圧値は複数のサブフィールドに渡って連続して発光維持動作がされていなかった場合と比べて、負の方向へ大きくする。
【００３８】
なお、プライミングパルスの電圧値は、直前のサブフィールドや直前のサブフィールドを含む連続した２つのサブフィールドにおける発光維持動作回数で決定する必要はなく、当該サブフィールドの放電ガスの活性状態に影響する発光維持動作数であれば、その発光維持動作が複数サブフィールド以前に行われた場合や、数フィールド以前のサブフィールドにおいて行われた場合でも、そのサブフィールドの発光維持動作回数を決定基準とすればよい。
【００３９】
またプライミングパルスの電圧値は、単一の走査電極６を構成する放電セル１５のみ、または各走査電極６毎に決定する必要はなく、複数の走査電極６を一つの走査電極６群とし、その走査電極６群毎に決定しても同様の効果を得ることができる。
【００４０】
また、上述の説明において、プライミングパルスの電圧値Ｖｂ（Ｖ）の設定は、例えば図１に示すような、電圧Ｖｂ及び電圧Ｖｃ（Ｖ）の２通りとする構成や、複数の電圧値で可変する構成などを採ることができる。
【００４１】
また、図３及び図４において、各放電セル１５において表現する輝度や各サブフィールドにおける発光維持動作の回数は必ずしも図に示す数字でなくても同様の効果を得ることができる。
【００４２】
また図４における１フィールドを構成するサブフィールドの数も必ずしも８である必要はなく、少なくとも１つ以上のサブフィールドで構成されている場合、同様の効果を得ることができる。
【００４３】
またプライミングパルスは必ずしも初期化期間に印加される必要はなく、書き込み動作に先立つ期間に印加される場合であれば同様の効果を得ることができる。
【００４４】
また、前記プライミングパルスの電圧値は前記第１の行電極または複数の前記第１の行電極毎に異なることを特徴とする。
【００４５】
これにより、同一の駆動波形を印加する行電極で構成される放電セルの点灯状態によりプライミングパルスの電圧値を決定できるため、書き込み動作に対する適当なプライミングパルス電圧値を設定することができる。
【００４６】
また、図１では走査電極６にのみプライミングパルスを印加しているが、必ずしも走査電極６に印加する必要はなく、維持電極７やデータ電極１１、または走査電極６、維持電極７及びデータ電極１１のうち、複数の電極にプライミングパルスを印加する場合でも、各電極間における電圧差の関係が図１に示したものと同等となるようにすれば、同様の効果を得ることができる。
【００４７】
【発明の効果】
以上のように本発明によれば、書き込み期間の前に印加するプライミングパルスの電圧値を、プライミングパルスの印加以前のサブフィールドでの点灯状態によって可変するように構成しているので、プライミングパルスの印加以前のサブフィールドでの発光維持動作数に応じてプライミングパルスの電圧値を適当な値とすることができ、これにより、書き込み期間での書き込みミスを防止し、良好な画像表示を行うことができるプラズマディスプレイ装置を提供することが可能となる。
【図面の簡単な説明】
【図１】本発明の実施の形態１によるプラズマディスプレイ装置の概略構成を示すブロック図
【図２】本発明の実施の形態１によるプラズマディスプレイ装置の駆動部が出力する駆動電圧波形のうち、初期化期間及び書き込み期間の駆動電圧波形を示す図
【図３】所定の放電セルと表現階調との関係の一例を示す図
【図４】表現階調と点灯サブフィールドとの関係の一例を示す図
【図５】プラズマディスプレイ装置のパネル部の概略構造を示す断面斜視図
【図６】従来のプラズマディスプレイ装置の概略構成を示すブロック図
【図７】従来のプラズマディスプレイ装置における駆動時間割構成図
【図８】従来のプラズマディスプレイ装置の駆動部が出力する駆動電圧波形のうち、初期化期間及び書き込み期間の駆動電圧波形を示す図
【図９】プラズマディスプレイ装置のパネル部の部分を表す図
【符号の説明】
６　走査電極
７　維持電極
１１　データ電極
１５　放電セル
２０　書き込み動作判別手段
２１　プライミングパルス電圧値判別手段
１００　パネル部
【図１】
2004029185.tif 000003
【図２】
2004029185.tif 000004
【図３】
2004029185.tif 000005
【図４】
2004029185.tif 000006
【図５】
2004029185.tif 000007
【図６】
2004029185.tif 000008
【図７】
2004029185.tif 000009
【図８】
2004029185.tif 000010
【図９】
2004029185.tif 000011